(57)【要約】【課題】  画質劣化が少なく、大容量のＨＤＤを要せずに、撮影から編集、ＤＶＤへのオーサリングを含めた全体処理時間を短縮する事が出来る編集システムを提供する。【解決手段】  第２の記録媒体１６と同じ圧縮方式で映像音声データを第１の記録媒体１１に記録する撮影装置１０と、第１の記録媒体１１に記録された映像音声データの編集リストを生成する編集リスト生成手段１３および編集個所のみレンダリングを行う局部レンダリング手段１４を備えた編集装置１８とで構成し、編集リスト及びレンダリングされた映像音声データを第１の記録媒体１１に記録して、編集後の映像音声データを編集リストに従って第１の記録媒体１１から読み出して連結し、第２の記録媒体１６に記録する。【選択図】  図１
2005142901.tif 000002
【特許請求の範囲】
【請求項１】
第１の記録媒体および第２の記録媒体を着脱可能な編集装置であって、
ランダムアクセスが可能な前記第１の記録媒体へ所定の記録フォーマットで記録再生を行う第１の記録再生手段と、
前記第２の記録媒体へ前記所定の記録フォーマットで記録再生を行う第２の記録再生手段と、
前記第１の記録媒体に記録されている映像音声データに対して、入力手段からの入力に基づいて編集点を指定して編集リストを作成する編集リスト生成手段と、
前記映像音声データのうち前記編集点を含む所定の区間を前記第１の記録媒体から読み出してデコードした後に、前記編集点以前の区間と前記編集点以後の区間のいずれかを前記所定の記録フォーマットで再エンコードしてつなぎ編集データとする局部レンダリング手段とを有し、
前記第１の記録媒体に記録されている前記編集リストにしたがって、前記第１の記録媒体に記録されている映像音声データおよびつなぎ編集データを所定の順序で読み出して連結し、第２の記録媒体に記録する編集装置。
【請求項２】
前記所定のフォーマットはＭＰＥＧ画像圧縮方式であり、前記所定の区間はひとつまたは複数の連続したＧＯＰである請求項１記載の編集装置。
【請求項３】
前記つなぎ編集データと前記編集リストのうち少なくともいずれか一方を前記第１の記録媒体に記録する請求項２記載の編集装置。
【請求項４】
前記第１の記録媒体からの読み出し速度は、前記第２の記録媒体への書き込み速度よりも高速である請求項３記載の編集装置。
【請求項５】
前記第１の記録媒体は、半導体メモリカードである請求項４記載の編集装置。
【請求項６】
前記第１の記録媒体は、複数のメモリカードを内蔵しているメモリカードパックである請求項４記載の編集装置。
【請求項７】
前記第１の記録媒体は、ＰＣカード規格に準拠している請求項５または６記載の編集装置。
【請求項８】
前記第２の記録媒体は、ＤＶＤ−Ｒ／ＲＡＭ等のディスク状記録媒体である請求項４記載の編集装置。
【請求項９】
前記つなぎ編集データおよび前記編集リストを含むデータを新たに記録するための記録容量が前記第1の記録媒体にない場合には、前記記録媒体に記録されている映像音声データのうち、前記編集点を含む前記所定の区間を削除して記録容量を空ける請求項３記載の編集装置。
【請求項１０】
前記つなぎ編集データおよび前記編集リストを含むデータを新たに記録するための記録容量が前記第1の記録媒体にない場合には、不要な映像音声データを削除して記録容量を空ける請求項３記載の編集装置。
【請求項１１】
撮影装置と編集装置とで構成された編集システムであって、
前記撮影装置は、着脱可能な第1の記録媒体に所定の記録フォーマットで映像音声データを記録し、
前記編集装置は、前記第１の記録媒体および第２の記録媒体を着脱可能であり、
ランダムアクセスが可能な前記第１の記録媒体へ前記所定の記録フォーマットで記録再生を行う第１の記録再生手段と、
前記第２の記録媒体へ前記所定の記録フォーマットで記録再生を行う第２の記録再生手段と、
前記第１の記録媒体に記録されている映像音声データに対して、入力手段からの入力に基づいて編集点を指定して編集リストを作成する編集リスト生成手段と、
前記映像音声データのうち前記編集点を含む所定の区間を前記第１の記録媒体から読み出してデコードした後に、前記編集点以前の区間と前記編集点以後の区間のいずれかを前記所定の記録フォーマットで再エンコードしてつなぎ編集データとする局部レンダリング手段とを有し、
前記第１の記録媒体に記録されている前記編集リストにしたがって、前記第１の記録媒体に記録されている映像音声データおよびつなぎ編集データを所定の順序で読み出して連結し、第２の記録媒体に記録する編集システム。
【請求項１２】
前記所定のフォーマットはＭＰＥＧ画像圧縮方式であり、前記所定の区間はひとつまたは複数の連続したＧＯＰである請求項１１記載の編集システム。
【請求項１３】
前記つなぎ編集データと前記編集リストのうち少なくともいずれか一方を前記第１の記録媒体に記録する請求項１２記載の編集システム。
【請求項１４】
前記第１の記録媒体からの読み出し速度は、前記第２の記録媒体への書き込み速度よりも高速である請求項１３記載の編集システム。
【請求項１５】
前記第１の記録媒体は、半導体メモリカードである請求項１４記載の編集システム。
【請求項１６】
前記第１の記録媒体は、複数のメモリカードを内蔵しているメモリカードパックである請求項１４記載の編集システム。
【請求項１７】
前記第１の記録媒体は、ＰＣカード規格に準拠している請求項１５または１６記載の編集システム。
【請求項１８】
前記第２の記録媒体は、ＤＶＤ−Ｒ／ＲＡＭ等のディスク状記録媒体である請求項１４記載の編集システム。
【請求項１９】
前記つなぎ編集データおよび前記編集リストを含むデータを新たに記録するための記録容量が前記第1の記録媒体にない場合には、前記記録媒体に記録されている映像音声データのうち、前記編集点を含む前記所定の区間を削除して記録容量を空ける請求項１３記載の編集システム。
【請求項２０】
前記つなぎ編集データおよび前記編集リストを含むデータを新たに記録するための記録容量が前記第1の記録媒体にない場合には、不要な映像音声データを削除して記録容量を空ける請求項１３記載の編集システム。
【発明の詳細な説明】
【技術分野】
【０００１】
本発明は、着脱可能な半導体メモリに画像を記録した映像音声データを編集する編集装置および編集システムに関する。
【背景技術】
【０００２】
近年、ＭＰＥＧなど映像音声データを高効率で圧縮できる符号化方式の普及により、ＭＰＥＧで撮った映像音声データをパーソナルコンピュータ上で編集するなどノンリニア編集が盛んに行われるようになってきている。
【０００３】
従来、ＭＰＥＧで撮った映像音声データをノンリニア編集機で編集する場合、テープやＤＶＤーＲ／ＲＡＭに記録されている映像音声データを、一端、高速アクセス可能なＨＤＤを持つノンリニア編集機に取り込む。その後、取り込んだ映像音声データをＨＤＤから読み出してデコードし、編集後、再エンコードして、再度、編集後の映像音声データをＨＤＤに記録し、ＨＤＤから編集後の映像音声データを読み出して、配布／保存用のテープやＤＶＤーＲ／ＲＡＭに記録していた（例えば、特許文献１参照。）。
【０００４】
図５は従来の編集装置のブロック構成図である。１０００は編集前の映像音声データが記録されたテープやＤＶＤ−Ｒ／ＲＡＭ等の第１の記録媒体、１００１は記録媒体１０００から映像音声データを再生する再生手段、１００２は再生手段１００１から再生される映像音声データを取り込み、取り込んだ映像音声データを編集し、編集後の映像音声データを出力する編集手段、１００３は編集手段１００２により取り込まれた映像音声データ及び編集手段１００２により編集した編集後の映像音声データを格納するＨＤＤ、１００４はＨＤＤ１００３から読み出された編集後の映像音声データを記録する記録手段、１００５は記録手段１００４により記録される編集後の映像音声データを記録するテープやＤＶＤ−Ｒ／ＲＡＭ等の第２の記録媒体、１００６は、再生手段１００１、編集手段１００２、記録手段１００４を制御するシステム制御手段である。
【０００５】
以上のように構成された従来の編集装置について、以下その動作を説明する。従来の編集装置での編集は、大きく３段階に分けられる。先ず第１段階（準備段階）として、記録媒体１０００に記録されている素材データとしての映像音声データが、システム制御手段１００６からの指示で、再生手段１００１により順次読み出される。読み出された映像音声データは、逐次、編集手段１００２に取り込まれ、一旦ＨＤＤ１００３に格納される。
【０００６】
次に第２段階（編集リスト作成段階）として、編集手段１００２は、ＨＤＤ１００３に取り込まれた映像音声データをＨＤＤ１００３から取り出してデコードし、その映像をモニタなどに表示する。編集者は、表示された映像を元に、カットやインサートなどの編集をシステム制御手段１００６を介して編集手段１００２で行い、再生の順序を記載した編集リストを作成する。
【０００７】
最後に第３段階（編集終了段階）として、作成された編集リストを元に、素材データをつなぎ合わせて配布／保存用の映像音声データを再エンコードして作成し、編集後の映像音声データをＨＤＤ１００３に書き戻す。そして、書き戻された編集後の映像音声データは、システム制御手段１００６からの指示で、配布／保存用の記録媒体１００５に記録手段１００４により、記録される。
【特許文献１】特表平１１−５０７１８３号公報
【発明の開示】
【発明が解決しようとする課題】
【０００８】
しかしながら、以上のような構成を有する編集装置においては、編集作業に入る前に、撮影済みのテープやＤＶＤ−Ｒ／ＲＡＭから、編集装置のＨＤＤに映像音声データを転送しなければならず、少なからぬ時間を要するという問題点があった。また、編集後に配布／保存用の映像音声データをまとめて再エンコード（レンダリング）して、編集後の映像音声データをＨＤＤに書き戻していた。これは、配布／保存用の映像音声データを配布／保存用の記録媒体に記録する際の、記録媒体上でのサーチやシークを極力発生しないようにして記録速度を向上させるためである。しかしながら、この処理のために再エンコードして書き戻す為の時間とＨＤＤの容量をより多く要するという問題点があった。さらに、編集時、デコードとエンコードを繰り返す事により、画質が劣化するという問題点があった。
【０００９】
以上のことから、本発明は、画質劣化が少なく、大容量のＨＤＤを要しない、撮影から編集、ＤＶＤ等へのオーサリングまでの全体処理時間を短縮する事が出来る編集装置の提供を目的とする。
【課題を解決するための手段】
【００１０】
これらの課題を解決するために本発明の編集装置は、第１の記録媒体および第２の記録媒体を着脱可能な編集装置であって、ランダムアクセスが可能な前記第１の記録媒体へ所定の記録フォーマットで記録再生を行う第１の記録再生手段と、前記第２の記録媒体へ前記所定の記録フォーマットで記録再生を行う第２の記録再生手段と、前記第１の記録媒体に記録されている映像音声データに対して、入力手段からの入力に基づいて編集点を指定して編集リストを作成する編集リスト生成手段と、前記映像音声データのうち前記編集点を含む所定の区間を前記第１の記録媒体から読み出してデコードした後に、前記編集点以前の区間と前記編集点以後の区間のいずれかを前記所定の記録フォーマットで再エンコードしてつなぎ編集データとする局部レンダリング手段とを有し、前記第１の記録媒体に記録されている前記編集リストにしたがって、前記第１の記録媒体に記録されている映像音声データおよびつなぎ編集データを所定の順序で読み出して連結し、第２の記録媒体に記録する構成としたものである。
【発明の効果】
【００１１】
本発明の編集装置によって、第1の記録媒体に記録されている編集前の映像音声データを用いて直接編集を行い、配布／保存用の映像音声データを作成するのに必要な編集リストと、必要な部分のみ再エンコードした映像データとを第1の記録媒体に記録しておく。そして、第1の記録媒体から読み出した編集リストにしたがって映像音声データを読み出し、配布／保存用の映像音声データとして第２の記録媒体に記録することが出来るので、画質劣化が少なく、大容量のＨＤＤを必要とせずに、撮影から編集、ＤＶＤへのオーサリングを含めた全体処理時間を短縮することが出来るという効果がある。また、編集リストを記録した第1の記録媒体を別の編集装置に挿入しても、同様に配布／保存用の映像音声データを作成でき、データの可搬性が高まるという効果がある。
【発明を実施するための最良の形態】
【００１２】
以下、本発明の実施の形態について、図１〜４を用いて説明する。図１は本発明の実施の形態１における編集システムのブロック構成図である。本発明の実施の形態１の編集システムは、撮影装置１０と編集装置１８で構成される。編集装置１８は、第１の記録媒体１０、第１の記録再生手段１２、編集リスト生成手段１３、局部レンダリング手段１４、第２の記録再生手段１５、第２の記録媒体１６、システム制御手段１７を備える。
【００１３】
第１の記録媒体１１は、編集装置に着脱可能に構成された高速にランダムアクセス可能な任意の記録媒体であり、例えば、大容量化、高速化を図って複数の半導体メモリカードを内蔵させたメモリカードパック等である。第２の記録媒体１６は、編集装置に着脱可能に構成された配布／保存用の任意の記録媒体であり、例えば、テープやＤＶＤ−Ｒ／ＲＡＭ等である。このように、第２の記録媒体は、必ずしもランダムアクセス可能でなくともよい。  まず、素材データの撮影について説明する。撮影時には、カメラレコーダなどの撮影装置１０に第1の記録媒体１１を装着し、映像と音声を第２の記録媒体１６に記録する映像音声データと同じ圧縮方式であるＭＰＥＧでエンコードして、所定のファイル形式で記録する。
【００１４】
以下、撮影装置１０で撮影した素材データを編集する編集装置１８の動作について説明する。本実施の形態の編集装置においても、編集作業は３段階に分けられる。
【００１５】
まず第１段階（準備段階）について説明する。まず、素材データとしての映像音声データが記録された第１の記録媒体１１、編集装置１８に挿入する。編集装置１８に第１の記録媒体１１が挿入されると、第１の記録媒体１１に記録されている映像音声データの記録媒体上での位置情報や容量など記録媒体の管理情報が第１の記録再生手段１２により読み出され、システム制御手段１７に取り込まれる。映像音声データ本体を編集装置１８に読み込むことはしないため、記録媒体上の映像音声データを用いてダイレクトに編集作業を行うことができる。
【００１６】
次に第２段階（編集リスト作成段階）について説明する。編集者が入力手段(図示せず)に対して、第１の記録媒体１１に記録されている映像音声データの編集開始を指示すると、入力手段からの入力を受けたシステム制御手段１７からの指示に従い、第１の記録媒体１１から所望の映像音声データが第１の記録再生手段１２により読み出され、編集リスト生成手段１３に供給される。編集リスト生成手段１３に供給された映像音声データは、ＭＰＥＧデコードされてモニタなどに表示される。そして、編集者はモニタを見ながら入力手段を介して、いわゆるＩＮ点やＯＵＴ点といった編集点を指定してフレーム単位のカットやインサート、スキップなどの編集を行い、編集リストを作成する。
【００１７】
編集リスト作成時において、編集点が、例えば、１５フレームを１つの単位とするＧＯＰの切れ目と同じであれば、ＧＯＰ単位の編集となる。一方、編集点がＧＯＰの途中であれば、ＧＯＰ単位内でのつなぎ編集となり、編集点を含むひとつまたは複数のＧＯＰから新たな映像データを生成する編集となる。詳細は後述するが、この場合には、編集に必要な映像音声データをＧＯＰ単位で第１の記録媒体１１から第１の記録再生手段１２により、システム制御手段１７からの指示に従って読み出し、局部レンダリング手段１４に供給する。局部レンダリング手段１４は、供給された映像音声データをデコードした後に編集点で２分割し、それらの必要な部分、すなわち編集点以前の区間と編集点以後の区間のいずれかについて再エンコード（レンダリング）を施してつなぎ編集データとする。第１の記録再生手段１２は、つなぎ編集データをシステム制御手段１７からの指示に従って第１の記録媒体１１に記録する。このように、編集点の前後のみ再エンコードし、それを第１の記録媒体１１に記録するため、ＨＤＤのような中間記録媒体は必要とせず、編集装置の構成を簡単にできる。
【００１８】
編集リスト生成手段１３により生成される編集リストには、局部レンダリング手段１４によってレンダリングされたつなぎ編集データもシステム制御手段１７を介して反映される。完成した編集リストは、システム制御手段１７に読み込まれると同時に、システム制御手段１７からの指示に従って第１の記録再生手段１２により、第１の記録媒体１１に記録される。なお、つなぎ編集データと編集リストはそれぞれ、第１の記録媒体１１に記録するほかに、編集装置１８の内部メモリに保持しておくことも可能である。
【００１９】
最後に第３段階（編集終了段階）について説明する。第２の記録媒体１６が編集装置１８に挿入されると、第２の記録媒体１６に記録されているデータの位置情報や容量など記録媒体の管理情報が第２の記録再生手段１５により読み出され、システム制御手段１７に取り込まれる。システム制御手段１７は、第1の記録媒体１１に記録されている編集リストに従って、第１の記録媒体１１に記録されている映像音声データおよびつなぎ編集データを所定の順序で読み出して連結する。
【００２０】
ここで、映像音声データをリアルタイムに記録媒体に記録する速度を１倍速とし、第２の記録媒体１６に対して記録するときの記録レートをＮ倍速（Ｎ＞１）とした場合、第１の記録媒体１１からの読み出し速度はＮ倍速以上となるようにする。これは、第１の記録媒体１１からデータを読み出す際には、第１の記録媒体１１上の映像音声データを編集リストにしたがってランダムに読み出す必要があり、その分実効の読み出し速度が低下してしまうのに対し、第２の記録媒体１６への配布／保存用の映像音声データの書き込みは通常連続した領域へ行われるため、最大転送速度に近い速度での書き込みが可能であるため、その分第１の記録媒体からの読み出し速度が高速であるほうが効率がよいからである。
【００２１】
そして、読み出した映像音声データおよびつなぎ編集データを第２の記録再生手段１５により、第２の記録媒体１６にＭＰＥＧ形式でＮ倍速（Ｎ＞１）にて記録する。記録終了後は、確認の為、第２の記録媒体１６から、第２の記録再生手段１５により、システム制御手段１７からの指示に従って、記録した編集後の映像音声データを読み出し、ＭＰＥＧデコードして、モニタなどに表示して確認し、撮影から編集、完パケまでの一連のコンテンツ制作作業を完了する。
【００２２】
第１の記録媒体１１に記録されている映像音声データは、第２の記録媒体１６と同じ圧縮方式で記録されている為、第１の記録媒体１１に記録された映像音声データを第２の記録媒体１６の圧縮方式に合わせて圧縮方式を変換する必要は無く、単純なコピーとして第２の記録媒体１６に記録する事になる。このため、システム制御手段１７は、作成した編集リストに従って、第１の記録媒体１１から編集後の映像音声データを読み出して、第２の記録媒体１６に所定のファイル形式で記録することを可能としている。
【００２３】
本実施の形態では、第１の記録媒体としてメモリカードパックを用いているが、このようにすると、以下のような効果がある。すなわち、第１の記録媒体にはドライブが無いなど機械的に動く部分が無く、テープの巻き戻しや早送り、ディスクのシークなどが発生せず、全て電気的なアクセスのみで処理できる。したがって、記録媒体に対してランダムアクセスとなる編集後の映像音声データの読み出しを高速に行うことができるので、従来のように、第２の記録媒体に書き込む為にあらかじめまとまった一本の編集済み映像音声データを作って、別領域に置いておく必要は無いのである。
【００２４】
ここで、つなぎ編集時の処理について説明する。その前に、本実施の形態で扱うＭＰＥＧフォーマットの映像データの構造について説明する。図２は、編集前の映像音声データにおける映像データの構造を示す構成図である。
【００２５】
図２の映像データはＭＰＥＧビデオストリームを形成しており、１連続記録（この単位をクリップと呼ぶ）毎にひとつのファイルに記録される。ＭＰＥＧビデオストリームでは、Ｉピクチャ、Ｐピクチャ、Ｂピクチャの３種類の符号化画像が規定されており、それぞれ次のような特徴を持つ。Ｉピクチャは、他のピクチャを参照せず、そのピクチャ自身で符号化が完結している画像である。Ｐピクチャは、前方予測符号化を用いて、時間的に過去のＩピクチャまたは過去のＰピクチャから予測して符号化された画像である。このため、復号化するためには過去のＩピクチャまたはＰピクチャが必要となる。Ｂピクチャは、双方向予測符号化を用いて、時間的に過去および未来のＩピクチャまたはＰピクチャから予測して符号化された画像である。このため、復号化するためには、過去および未来のＩピクチャまたはＰピクチャが必要となる。ＭＰＥＧビデオストリームは、これらのピクチャの集合体、すなわちＧＯＰ（Group Of Picture）の集合である。一般に、ＧＯＰはランダムアクセスと高符号化効率を実現するため、Ｉピクチャ、Ｐピクチャ、Ｂピクチャの組み合せによって構成され、例えば、１５フレームを１つの単位としてＧＯＰを形成している。また、ＧＯＰの最初の符号化画像は、Ｉピクチャとなっており、Ｉピクチャは参照画面を用いずに独立して復号化できるため、ＧＯＰはＭＰＥＧデータからのランダムアクセスを行うポイントとしても利用可能である。
【００２６】
通常、ＧＯＰ中のＢピクチャの中には、ＧＯＰをまたがって、直前のＧＯＰ中のＰピクチャから予測して符号化されたものが存在する。例えば図２においては、ＧＯＰ３の先頭のＢ０及びＢ１が直前のＧＯＰ２中のＰピクチャ（図示せず）を参照して符号化されている。一方、そのＧＯＰの中で符号化が完結するように符号化されているＧＯＰを、クローズドＧＯＰと呼ぶ。クローズドＧＯＰでは、先頭の連続するいくつかのＢピクチャは直前のＧＯＰに依存しないようになっている。
【００２７】
なお、Ｉピクチャ、Ｐピクチャ、Ｂピクチャの３種類の符号化画像は、符号化時と再生時とでは、時間に対してその並びが異なる。再生画像には、１つのＧＯＰ内にある１５フレームを、その再生順に並べたときのＩピクチャ、Ｐピクチャ、Ｂピクチャの３種類の符号化画像の並びを示しており、数字は再生順を示している。
【００２８】
次に、本実施の形態におけるつなぎ編集時の具体的な処理について説明する。図３は、ＧＯＰ単位内に編集点があるフレーム単位のつなぎ編集の説明図である。映像データＡおよび映像データＢは、それぞれＭＰＥＧビデオストリームを形成する一連続記録のクリップである。以下、映像データＡと映像データＢに対して、ＧＯＰ３内の編集点でフレーム単位のつなぎ編集を行う場合の処理について説明する。
【００２９】
映像データＡの区間ａの部分と、映像データＢの区間ｂの部分とを組み合わせてつなぎ編集出力を得るとする。編集点はＧＯＰ３の途中にあり、ＧＯＰの先頭とは一致していない。区間ａ２は、映像データＡの区間ａのうち、編集点を含むＧＯＰ３の先頭から編集点までの区間を表しており、区間ａ１は、それ以前の区間を表している。また、区間ｂ１は、映像データＢの区間ｂのうち、編集点を含むＧＯＰ３の編集点からそのＧＯＰ３の末尾までの区間を表しており、区間ｂ２は、それ以降の区間を表している。これらの区間のうち、再エンコードが必要な区間は、区間ａ２とｂ１であり、その他の区間ａ１とｂ２は、そのまま使われる。
【００３０】
区間ａ２とｂ１に相当する映像データを得るために、局部レンダリング手段１４は、映像データＡのＧＯＰ３と映像データＢのＧＯＰ３に相当する映像データを第１の記録媒体１１から読み込む。局部レンダリング手段１４は次に、区間ａ２とｂ１に相当する部分を再エンコードして映像データＧＯＰ３−１とＧＯＰ３−２を生成する。すなわち、区間ａ２では、映像データＡのＧＯＰ３における編集点以前の前半部分をデコードし、ＧＯＰ３−１として再エンコードする。区間ｂ１では、映像データＢのＧＯＰ３における編集点以降の後半部分をデコードし、ＧＯＰ３−２として再エンコードする。そして最後にＧＯＰ３−１とＧＯＰ３−２は、第１の記録媒体１１に映像データＺとして記録される。従って、生成された編集後の映像データにおいて再エンコードされる部分は、区間ａ２および区間ｂ１だけであるため、再エンコードによる画質の劣化が少なく、効率の良い編集を行うことができる。
【００３１】
なお、ここでは、区間ａ２とｂ１に相当する映像データを得るために、映像データＡのＧＯＰ３と映像データＢのＧＯＰ３に相当する映像データを局部レンダリング手段１４に第１の記録媒体１１から読み込んで、区間ａ２とｂ１に相当する映像データを得たが、より高画質な区間ａ２とｂ１に相当する映像データを得るために、映像データＡのＧＯＰ２も読み込んで、映像データＡのＧＯＰ２における最後のＰピクチャと合わせて、映像データＡのＧＯＰ３における先頭の連続するＢピクチャ（例えば、図２の再生画像におけるＢ０、Ｂ１の２つ）をデコードするようにしても良い。これは、各ＧＯＰの先頭の連続するＢピクチャが、直前のＧＯＰの最後のＰピクチャを参照している場合があるためである。
【００３２】
さらに、同様の理由により、映像データＢのＧＯＰ４を第１の記録媒体１１から読み込んで、再エンコードされた区間ａ２とｂ１に相当する映像データのＧＯＰ（ここでは、図３のＧＯＰ３−２）における最後のＰピクチャを用いて、映像データＢのＧＯＰ４における先頭の連続するＢピクチャを再エンコードするようにして、高画質化を図っても良い。
【００３３】
また、編集点が、丁度、ＧＯＰ内のＰピクチャの直後（例えば、図２の再生画像におけるＰ８とＢ９の間）にある場合には、前半部分については、再エンコードする必要は無いので、そのまま利用しても良い。
【００３４】
なお、区間ａ２および区間ｂ１は別々のＧＯＰとして再エンコードされるとしたが、これらをひとつのＧＯＰとして再エンコードすることも可能である。その場合、区間ａ２および区間ｂ１それぞれの区間中の先頭のフレームをＩフレームとすることが望ましい。これは、編集点はシーンの変わり目であり映像が急激に変化するため、編集点後の区間ｂ１をエンコードする際には、単独でエンコードが可能なＩフレームを設けるほうが画質を向上できるからである。
【００３５】
次に、編集作業によって生成される編集リストについて説明する。図４は、編集リストの一例である。編集リストは編集者が素材となる映像データを元にして、所望のストリームを得るために、素材となる映像データの所定の箇所を再生順に並べてその結果を記述したものであり、選択映像データと選択ＧＯＰが再生順で記述されている。素材となる映像データは、ファイルシステムにより記録媒体の管理情報として管理されており、選択映像データと選択ＧＯＰを特定することができる。
【００３６】
編集者は、まず第１の記録媒体１１に記録されている映像データから編集リスト生成手段１３にて、カット、インサート、スキップなどのＧＯＰ単位の編集を行う。そして、ＧＯＰ単位内のフレーム単位のつなぎ編集で、局部レンダリング手段１４により新たに生成された映像データをつなぎ編集箇所に挿入するように、編集リストに記述する。図４において、編集リスト内の再生順番１、２、３がＧＯＰ単位内のフレーム単位のつなぎ編集箇所に相当する編集リストの記述部分である。新たに生成された映像データＺは、ＧＯＰ３−１及びＧＯＰ３−２としてＧＯＰを形成しているので、ＧＯＰ単位のカット編集と同じく、再生順番に合わせて編集リストの所定の箇所に記述するだけでよい。なお、編集リストの再生順番４、５には、第１の記録媒体１１に記録されているその他の映像データＣからの映像データがＧＯＰ単位で映像データＢに挿入されており、編集リスト上では図のように再生順序に従って記述されている。以下、同じように編集作業を繰り返して、システム制御手段１７を介して編集リスト生成手段１３により編集リストを生成する。そして、生成された編集リストは、例えばテキストファイル形式で、システム制御手段１７からの指示に従って第１の記録再生手段１２により第１の記録媒体１１に記録される。
【００３７】
ＭＰＥＧオーディオ等のフォーマットで記録されている音声データについても、映像データのフレーム単位のカット編集やインサート編集、スキップ編集、及び、ＧＯＰ単位内のつなぎ編集など各編集における映像フレームに同期させるようにして編集が行われ、編集時に再エンコードが必要な場合には適宜再エンコードされた後に、その音声データが第１の記録媒体１１に記録される。
【００３８】
映像データと音声データは、第２の記録媒体１６がＤＶＤ−Ｒ／ＲＡＭであれば、ＤＶＤフォーマットに準拠し、所定のファイル形式でそれぞれの記録媒体に記録される。
【００３９】
なお、局部レンダリング手段１４により生成されたつなぎ編集データや編集リストといったデータを新たに記録するだけの記録容量が第１の記録媒体１１に空いていない場合には、例えば、編集点で再エンコードしなければならないＧＯＰについては、これを削除し、記憶容量を空けてから記録するようにする。または、編集時、不要となった映像音声データを削除して、記憶容量を空けてから記録するようにする。不要かどうかを判断する方法としては、映像音声データのうち編集中に不要と判断した部分に対して編集者が削除を指示すると、実際には削除は行わずに不要フラグを立てるようにし、記録容量が足りなくなった時点で、不要フラグが立っている部分を削除していく方法等が考えられる。
【００４０】
また、編集時には、第２の記録媒体１６に比べ、比較的高速にアクセスができる第１の記録媒体１１の高速アクセス性能を活かすように、ベストエフォートで第１の記録媒体１１に対するデータの記録再生を行うことにより、編集時の処理時間の短縮を図ることができる。
【００４１】
また、本発明では、局部レンダリング手段１４においてＧＯＰ内に編集点があるつなぎ編集の場合について述べたが、一本のＭＰＥＧストリームとして完成させるときに多重されるタイトル挿入などのときも、同様に、必要なＧＯＰのみを局部レンダリング手段１４に読み込んで、レンダリングするので、再エンコードによる画質の劣化が少なく、効率の良い編集を行うことができる。
【００４２】
以上のように、本実施の形態によれば、カメラレコーダによって、編集後に必要な記録フォーマットと同一のフォーマットで映像音声を記録媒体に記録し、その記録媒体を直接挿入してそのまま編集用の素材ファイルとして使用する。そして、編集作業に多くの時間を費やすレンダリングを編集個所のみの局部レンダリングとして効率化し、局部レンダリングした部分は挿入した記録媒体に再び記録する。また、編集結果である編集リストも同じく、挿入した記録媒体に記録するようにして、挿入した記録媒体上でのダイレクト編集を行う。これにより、編集後は、記録媒体に記録された所定の映像音声データを、記録媒体の違いによる圧縮方式の変換無しに、編集リストに従った単純なコピーとして、テープやＤＶＤ−Ｒ／ＲＡＭ等にＮ倍速（Ｎ＞１）で記録するので、画質劣化が少なく、大容量のＨＤＤを要せずに、撮影から編集、ＤＶＤへのオーサリングを含めた全体処理時間を短縮することが出来る。
【００４３】
なお、第１の記録媒体はメモリカードパックであるとしたが、通常の半導体メモリカードやＤＶＤ−ＲＡＭ等の書き換え可能な光ディスク、着脱可能なＨＤＤ等でもよい。また、第２の記録媒体はテープやＤＶＤ−Ｒ／ＲＡＭとしたが、こちらをメモリカードパックや半導体メモリカードとしてもよい。ただし、第１の記録媒体からのデータの読み出し速度が第２の記録媒体へのデータの書き込み速度以上であることが望ましい。例えば本実施の形態のように、第１の記録媒体をメモリカードパックとし、第２の記録媒体をテープやＤＶＤ−Ｒ／ＲＡＭとすれば、第１の記録媒体へのアクセスがランダムに行われたとしても第２の記録媒体への書き込みよりも高速なため、映像音声データをより効率よく第２の記録媒体へ記録することが可能となる。
【産業上の利用可能性】
【００４４】
本発明にかかる編集装置は、着脱可能な半導体メモリパックに画像を記録するカメラレコーダで撮影した映像音声データを編集する編集システム等として特に有用である。
【図面の簡単な説明】
【００４５】
【図１】本発明の実施の形態における編集装置のブロック構成図
【図２】編集前の映像音声データにおける映像データの構造を示す構成図
【図３】ＧＯＰ単位内に編集点があるフレーム単位のつなぎ編集の説明図
【図４】編集リストの一例を示す図
【図５】従来の編集装置のブロック図
【符号の説明】
【００４６】
１０  撮影装置
１１  第１の記録媒体
１２  第１の記録再生手段
１３  編集リスト生成手段
１４  局部レンダリング手段
１５  第２の記録再生手段
１６  第２の記録媒体
１７  システム制御手段
１８  編集装置
１０００  第１の記録媒体
１００１  再生手段
１００２  編集手段
１００３  ＨＤＤ
１００４  記録手段
１００５  第２の記録媒体
１００６  システム制御手段
【図１】
2005142901.tif 000003
【図２】
2005142901.tif 000004
【図３】
2005142901.tif 000005
【図４】
2005142901.tif 000006
【図５】
2005142901.tif 000007